(57)【要約】【課題】  よりコンパクトに組み合わせることが可能な液体用の容器を提供すること。【解決手段】  開口部２を有しつつ三角形の断面形状を備えた中空体１と、前記開口部２のためのキャップ３とを備えた液体用の容器において、前記三角形状の断面形状を二等辺三角形とし、該二等辺三角形における同じ長さの両辺が直角をなすよう構成した。また、前記断面形状を、前記中空体１の全長にわたって同一とするとともに、前記キャップ３を前記開口部２上へ嵌着可能又は螺着可能とした。
2013539737.tif 000002
【特許請求の範囲】
【請求項１】
開口部（２）を有しつつ三角形の断面形状を備えた中空体（１）と、
前記開口部（２）のためのキャップ（３）と
を備えた液体用の容器において、
前記三角形状の断面形状を二等辺三角形とし、該二等辺三角形における同じ長さの両辺が直角をなすよう構成したことを特徴とする容器。
【請求項２】
前記断面形状を、前記中空体（１）の全長にわたって同一としたことを特徴とする請求項１記載の容器。
【請求項３】
前記キャップ（３）を前記開口部（２）上へ嵌着可能又は螺着可能としたことを特徴とする請求項１又は２記載の容器。
【請求項４】
前記キャップ（３）を円形とするか、又は
前記キャップ（３）を二等辺三角形状の断面とするとともに、同じ長さの両辺が直角をなすよう構成した
ことを特徴とする請求項１〜３のいずれか１項に記載の容器。
【請求項５】
前記中空体（１）をガラス、薄板、鋼又は合成樹脂で形成したことを特徴とする請求項１〜４のいずれか１項に記載の容器。
【請求項６】
複数の当該容器を、
まず２つの容器がその長い方の片においてベースに置かれ、
これらの間に形成されるＶ字状の領域に９０°の角度部分が下を向くよう第３の容器が設置され、
必要な場合には、該第３の容器の上に、９０°の角度部分が上を向くよう第４の容器が設置され、
必要な場合には、このシステムが、最下の容器の側方へ更に容器をはめ込み、その上に容器を積み重ねることで無限に連続するよう
に構成したことを特徴とする請求項１〜５のいずれか１項に記載の容器。
【請求項７】
複数の当該容器を、
常に２つの容器が対で互いに並置され、このとき、三角形が互いに長い方の片で隣接し、
このような容器の対がより大きなユニットに組み立てられるよう
構成したことを特徴とする請求項１〜５のいずれか１項に記載の容器。
【発明の詳細な説明】
【技術分野】
【０００１】
本発明は、請求項１の前提部分による液体用の容器に関するものである。
【背景技術】
【０００２】
液体用の容器は、非常に多くの実施形態において知られている。例えば、液体をボトルに貯蔵することが知られている。これに対して、オイルは、大きなドラム缶に貯蔵される。本発明は、一般的な、液体の種類及び液体の量に関わるものである。
【０００３】
容器の公知の特別な形状は、この容器が三角形状の断面を有するよう設定されている。ここで、このような三角形状の断面は、常に二等辺三角形、すなわち三角形の側部が同様の長さとなっている。このことは、各辺のなす角度がそれぞれ６０°となることを意味している。
【発明の概要】
【発明が解決しようとする課題】
【０００４】
このような正三角形の問題点は、これら正三角形を特にその垂直位置において比較的コンパクトに配置することができるものの、縁部領域には、常に、不均一な、すなわちジグザグ状の周囲輪郭が生じることにある。このことは、この三角形状の容器の配置に対しては最適ではない。
【０００５】
本発明は上記問題に鑑みてなされたもので、その目的とするところは、よりコンパクトに組み合わせることが可能な冒頭に記載した様式の液体用の容器を提供することにある。
【課題を解決するための手段】
【０００６】
技術的な解決手段は、請求項１の特徴部における特徴によって特徴づけられている。
【０００７】
本発明による液体用の三角形状の容器の基本理念は、三角形状の断面形状を二等辺三角形とし、該二等辺三角形における同じ長さの両辺が直角をなすよう構成したことにある。このことは、複数の容器から成る群の周囲輪郭が正方形又は長方形となることから、複数の容器を非常にコンパクトに配置することができるという非常に大きな利点を有するものである。そして、これにより、いかなる空間も空隙が失われることがない。容器を横にして積み重ねる場合には、同様に非常に明確かつコンパクトな構造が得られ、この構造は非常に安定的であるため、これにより任意の高さまで積み重ねることが可能である。このとき、容器は、１つ又は２つの開口部を有することができ、特に比較的大きな容器は、ドラム缶においては通常であるように、排出のための２つの開口部、通常は１つの大きな開口部、及び換気のための比較的小さな開口部を備えている。
【０００８】
請求項２に基づく好ましい実施形態は、断面形状を、中空体の全長にわたって同一としたことを特徴としている。
【０００９】
請求項３に基づく実施形態は、キャップを開口部上へ嵌着可能又は螺着可能としたことを特徴としている。これにより、特にネジ式容器である従来の容器を使用することが可能である。同様に、特にクリップ留めされるような嵌着式の容器も使用することが可能である。
【００１０】
請求項４に基づく実施形態は、キャップを円形とするか、又はキャップを二等辺三角形状の断面とするとともに、同じ長さの両辺が直角をなすよう構成したことを特徴としている。同様に、容器の任意の他の各様式及び形状を用いてもよい。特に、これら容器は、中空体の周囲輪郭を超えて突出しないように形成されている。
【００１１】
また、請求項５に基づく実施形態は、中空体をガラス、薄板、鋼又は合成樹脂で形成したことを特徴としている。このことは、本発明による容器が各通常の材料で形成可能であることを意味している。
【００１２】
そして、請求項６及び７においては、複数のこのような容器をより大きなユニットへ組み立てるための手段が提案されている。ここで、請求項６は横置きのバリエーションであり、請求項７は縦置きのバリエーションである。
【発明の効果】
【００１３】
本発明によれば、複数の容器を非常にコンパクトに配置することができる。
【図面の簡単な説明】
【００１４】
【図１ａ】円形状のキャップを備えた容器の第１の実施形態を示す図である。
【図１ｂ】異なる視点から見た図１ａにおける容器を示す図である。
【図２ａ】図１ａ及び図１ｂにおける容器の積み重ねた状態を示す図である。
【図２ｂ】図１ａ及び図１ｂにおける容器の直立して組み合わせた状態を示す図である。
【図３ａ】円形状のキャップを備えた容器の第２の実施形態を示す図である。
【図３ｂ】異なる視点から見た図３ａにおける容器を示す図である。
【図４ａ】図３ａ及び図３ｂにおける容器の積み重ねた状態を示す図である。
【図４ｂ】図３ａ及び図３ｂにおける容器の直立して組み合わせた状態を示す図である。
【発明を実施するための形態】
【００１５】
以下に本発明の実施の形態を添付図面に基づいて説明する。
【００１６】
図１ａ及び図１ｂには液体用の容器の第１の実施形態が示されており、この容器は、上側の開口部２を有する中空体１を備えている。この開口部２は、ネジキャップの形態の円形のキャップ３によって閉鎖され得るようになっている。
【００１７】
この容器の特徴は、中空体１の断面形状にある。この断面形状は、三角形となっていて、具体的には両等辺が９０°の角度をなす二等辺三角形となっている。
【００１８】
特別な断面形状を有するこの容器の特徴は、多数の同様な容器を並べる場合に発揮される。
【００１９】
すなわち、図２ａには全部で４つの上記のような容器が示されており、これらは、並べて積み重ねられている。ここで、基本原理は、まず２つの容器をその長い片においてベースに置き、これらの間に形成されるＶ字状の領域に９０°の角度部分が下を向くよう第３の容器が設置され、この第３の容器の上に、９０°の角度部分が上を向くよう第４の容器が載置される。このシステムは、最下の容器の側方へ更に容器をはめ込み、その上に容器を積み重ねることで無限に連続させることができる。
【００２０】
図２ｂには、当該容器が直立して設置される場合の容器が示されている。ここでの基本理念は、常に２つの容器が対で互いに並置され、このとき、三角形は互いに長い方の片で隣接していることにある。このことは、この容器の対がその断面において正方形を形成していることを意味している。このような容器の対を、図２ｂに示すように、より大きなユニットに組み立てることが可能である。
【００２１】
図３ａ及び図３ｂに示す実施形態は、単に、ここではキャップ３が円形ではなく三角形となっている点で上記第１の実施形態と相違している。ここでも同様に、この三角形のキャップ３の断面形状は、二等辺三角形として形成されている。
【００２２】
図４ａ及び図４ｂには、容器が積み重ねられるか、又は直立して組み立てられる場合の図２ａ及び図２ｂに対応した状況が示されている。
【符号の説明】
【００２３】
１            中空体
２            開口部
３            キャップ
【図１ａ】
2013539737.tif 000003
【図１ｂ】
2013539737.tif 000004
【図２ａ】
2013539737.tif 000005
【図２ｂ】
2013539737.tif 000006
【図３ａ】
2013539737.tif 000007
【図３ｂ】
2013539737.tif 000008
【図４ａ】
2013539737.tif 000009
【図４ｂ】
2013539737.tif 000010
【手続補正書】
【提出日】平成25年7月18日(2013.7.18)
【手続補正１】
【補正対象書類名】明細書
【補正対象項目名】００１４
【補正方法】変更
【補正の内容】
【００１４】
【図１ａ】円形状のキャップを備えた容器の第１の実施形態を示す図である。
【図１ｂ】異なる視点から見た図１ａにおける容器を示す図である。
【図２ａ】図１ａ及び図１ｂにおける容器の積み重ねた状態を示す図である。
【図２ｂ】図１ａ及び図１ｂにおける容器の直立して組み合わせた状態を示す図である。
【図３ａ】三角形状のキャップを備えた容器の第２の実施形態を示す図である。
【図３ｂ】異なる視点から見た図３ａにおける容器を示す図である。
【図４ａ】図３ａ及び図３ｂにおける容器の積み重ねた状態を示す図である。
【図４ｂ】図３ａ及び図３ｂにおける容器の直立して組み合わせた状態を示す図である。
【手続補正２】
【補正対象書類名】特許請求の範囲
【補正対象項目名】全文
【補正方法】変更
【補正の内容】
【特許請求の範囲】
【請求項１】
開口部（２）を有しつつ当該中空体（１）全体の高さにわたって延在する、二等辺三角形状の同一の三角形の断面形状を備えた中空体（１）と、
前記開口部（２）のためのキャップ（３）と
を備え、前記三角形の同じ長さの両辺が直角をなし、
複数の当該容器を、
まず２つの容器がその長い方の片においてベースに置かれ、
これらの間に形成されるＶ字状の領域に９０°の角度部分が下を向くよう第３の容器が設置され、
必要な場合には、該第３の容器の上に、９０°の角度部分が上を向くよう第４の容器が設置され、
必要な場合には、このシステムが、最下の容器の側方へ更に容器をはめ込み、その上に容器を積み重ねることで無限に連続するよう構成するか、又は
複数の当該容器を、
常に２つの容器が対で互いに並置され、このとき、三角形が互いに長い方の片で隣接し、
このような容器の対がより大きなユニットに組み立てられるよう
構成したことを特徴とする容器。
【請求項２】
前記キャップ（３）を前記開口部（２）上へ嵌着可能又は螺着可能としたことを特徴とする請求項１記載の容器。
【請求項３】
前記キャップ（３）を円形とするか、又は
前記キャップ（３）を二等辺三角形状の断面とするとともに、同じ長さの両辺が直角をなすよう構成した
ことを特徴とする請求項１又は２記載の容器。
【請求項４】
前記中空体（１）をガラス、薄板、鋼又は合成樹脂で形成したことを特徴とする請求項１〜３のいずれか１項に記載の容器。
【手続補正書】
【提出日】平成25年8月1日(2013.8.1)
【手続補正１】
【補正対象書類名】明細書
【補正対象項目名】００２０
【補正方法】変更
【補正の内容】
【００２０】
図２ｂには、当該容器が直立して設置される場合の容器が示されている。ここでの基本理念は、２つずつの容器が対で互いに立設され、このとき、三角形は互いに長い方の片で隣接していることにある。このことは、この容器の対がその断面において正方形を形成していることを意味している。このような容器の対を、図２ｂに示すように、より大きなユニットに組み立てることが可能である。
【手続補正２】
【補正対象書類名】特許請求の範囲
【補正対象項目名】請求項１
【補正方法】変更
【補正の内容】
【請求項１】
開口部（２）を有しつつ当該中空体（１）全体の高さにわたって延在する、二等辺三角形状の同一の三角形の断面形状を備えた中空体（１）と、
前記開口部（２）のためのキャップ（３）と
を備え、前記三角形の同じ長さの両辺が直角をなし、
複数の当該容器を、
まず２つの容器がその長い方の片においてベースに置かれ、
これらの間に形成されるＶ字状の領域に９０°の角度部分が下を向くよう第３の容器が設置され、
必要な場合には、該第３の容器の上に、９０°の角度部分が上を向くよう第４の容器が設置され、
必要な場合には、このシステムが、最下の容器の側方へ更に容器をはめ込み、その上に容器を積み重ねることで無限に連続するよう構成するか、又は
複数の当該容器を、
２つずつの容器が対で互いに立設され、このとき、三角形が互いに長い方の片で隣接し、
このような容器の対がより大きなユニットに組み立てられるよう
構成したことを特徴とする容器。
【国際調査報告】
2013539737.tif 000011
2013539737.tif 000012
2013539737.tif 000013
2013539737.tif 000014
2013539737.tif 000015
2013539737.tif 000016